(57)【特許請求の範囲】
【請求項１】
光源と、
前記光源からの光を波長変換する蛍光体を含有する波長変換部材と、
前記光源からの光に拡散作用を付与する拡散板であって、前記波長変換部材よりも厚く、前記波長変換部材に対して出光側に配される拡散板と、
前記波長変換部材との間及び前記拡散板との間にそれぞれ界面を有する接着層と、を備え、
前記界面のうち少なくとも一方は、前記波長変換部材から出射された光を前記波長変換部材側に反射する照明装置。
【請求項２】
前記波長変換部材は、前記拡散板のうち出光側とは反対側の板面に貼り付けられている請求項１記載の照明装置。
【請求項３】
前記拡散板に対して出光側には、前記拡散板よりも薄い光学シートが重なる形で配されている請求項１または請求項２に記載の照明装置。
【請求項４】
前記拡散板は、前記波長変換部材をその全域にわたって出光側から覆う形で配されている請求項１から請求項３のいずれか１項に記載の照明装置。
【請求項５】
前記波長変換部材は、外形が前記拡散板よりも小さなものとされて前記拡散板の板面内に並んで配される複数の分割波長変換部材からなるものとされる請求項１から請求項４のいずれか１項に記載の照明装置。
【請求項６】
前記波長変換部材よりも厚く、前記波長変換部材に対して前記拡散板側とは反対側に重なる形で配される第２の拡散板が備えられる請求項１から請求項５のいずれか１項に記載の照明装置。
【請求項７】
前記波長変換部材は、前記光源の発光面と対向状をなす形でその出光側に離れて配されている請求項１から請求項６のいずれか１項に記載の照明装置。
【請求項８】
前記光源からの光を導光する導光板を備えており、
前記波長変換部材は、前記導光板における光出射面と対向状をなす形で配されている請求項１から請求項６のいずれか１項に記載の照明装置。
【請求項９】
前記光源は、青色の光を発するものとされており、
前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有している請求項１から請求項８のいずれか１項に記載の照明装置。
【請求項１０】
前記波長変換部材は、前記蛍光体として量子ドット蛍光体を含有している請求項１から請求項９のいずれか１項に記載の照明装置。
【請求項１１】
請求項１から請求項１０のいずれか１項に記載の照明装置と、前記照明装置から照射される光を利用して画像を表示する表示パネルと、を備える表示装置。
【請求項１２】
請求項１１記載の表示装置を備えるテレビ受信装置。
【発明の詳細な説明】
【技術分野】
【０００１】
本発明は、照明装置、表示装置、及びテレビ受信装置に関する。
【背景技術】
【０００２】
従来の液晶表示装置の一例として下記特許文献１に記載されたものが知られている。この特許文献１に記載された液晶表示装置は、液晶パネルと、液晶パネルに光を照射するディスプレイバックライトユニットと、を備える。ディスプレイバックライトユニットは、一次光源と、一次光源によって放出される一次光を導光する導光板と、導光板によって導光された一次光によって励起されて二次光を放出するＱＤ蛍光体材料を含むリモート蛍光体フィルムと、を備える。
【先行技術文献】
【特許文献】
【０００３】
【特許文献１】特表２０１３−５４４０１８号公報
【０００４】
（発明が解決しようとする課題）
上記した特許文献１に記載されたようなリモート蛍光体フィルムは、ＱＤ蛍光体材料の吸湿などによる劣化を抑制するため、金属酸化膜からなるバリア層を備えている。しかしながら、リモート蛍光体フィルムの外周端は、外気に含まれる水分などに曝され易いものとなっている。このため、リモート蛍光体フィルムのうち外周側部分では、局所的にＱＤ蛍光体材料が吸湿などによって劣化し易くなっており、結果として色ムラが生じるおそれがあった。
【発明の概要】
【０００５】
本発明は上記のような事情に基づいて完成されたものであって、色ムラの発生を抑制することを目的とする。
【０００６】
（課題を解決するための手段）
本発明の照明装置は、光源と、前記光源からの光を波長変換する蛍光体を含有する波長変換部材と、前記光源からの光に拡散作用を付与する拡散板であって、前記波長変換部材よりも厚く、前記波長変換部材に対して出光側に配される拡散板と、を備える。
【０００７】
このようにすれば、光源からの光は、拡散板により拡散作用が付与されるとともに波長変換部材に含有される蛍光体によって波長変換されて出射される。拡散板は、波長変換部材よりも厚いから、高い平坦性を有するものとされ、それにより光源からの光を板面内において均一に拡散させることができる。そして、拡散板は、波長変換部材に対して出光側に配されているから、例えば、波長変換部材の外周側部分において蛍光体が吸湿などによって劣化し、波長変換部材の外周側部分を透過した光の色味と、中央側部分を透過した光の色味と、に差が生じていた場合であっても、それらの透過光には拡散板によって拡散作用が付与された上で出射されることになるので、その出射光には中央側と外周側とで色味の差が生じ難くなる。これにより、色ムラが生じ難いものとなる。
【０００８】
本発明の実施態様として、次の構成が好ましい。
（１）前記波長変換部材は、前記拡散板のうち出光側とは反対側の板面に貼り付けられている。このようにすれば、波長変換部材の平坦性を拡散板によって担保することができる。
【０００９】
（２）前記波長変換部材と前記拡散板との間には、接着層が介在する形で設けられている。このようにすれば、波長変換部材の透過光が波長変換部材と接着層との間の界面や接着層と拡散板との界面にて反射されて再び波長変換部材を通過し易くなるので、波長変換部材の蛍光体による波長変換効率がより高いものとなる。
【００１０】
（３）前記拡散板に対して出光側には、前記拡散板よりも薄い光学シートが重なる形で配されている。このようにすれば、光学シートの平坦性を拡散板によって担保することができる。
【００１１】
（４）前記拡散板は、前記波長変換部材をその全域にわたって出光側から覆う形で配されている。このようにすれば、波長変換部材の透過光に対して拡散板によって拡散作用が悉に付与されるので、色ムラがより生じ難いものとなる。
【００１２】
（５）前記波長変換部材は、外形が前記拡散板よりも小さなものとされて前記拡散板の板面内に並んで配される複数の分割波長変換部材からなるものとされる。このようにすれば、当該照明装置の大型化を図る上で好適とされる。このように、波長変換部材を構成する複数の分割波長変換部材が拡散板の板面内に並ぶ形で配されると、各分割波長変換部材の外周側部分が拡散板の板面内における中央側にも配置されることになるものの、複数の分割波長変換部材に対して出光側に配される拡散板によってそれら各分割波長変換部材の透過光に拡散作用が付与される。これにより、各分割波長変換部材の外周側部分を透過した光の色味と各分割波長変換部材の中央側部分を透過した光の色味とに差が生じていた場合でも、それらの透過光には拡散板によって拡散作用が付与された上で出射されるので、その出射光に色ムラが生じ難いものとなる。
【００１３】
（６）前記波長変換部材よりも厚く、前記波長変換部材に対して前記拡散板側とは反対側に重なる形で配される第２の拡散板が備えられる。このようにすれば、波長変換部材は、第２の拡散板によって拡散板側とは反対側から支持されるとともに、拡散板と第２の拡散板との間に挟み込まれることで、その平坦性が高いものとされる。また、第２の拡散板によって拡散作用が付与された光が波長変換部材によって波長変換されるので、輝度ムラの緩和を図る上でより好適とされる。
【００１４】
（７）前記波長変換部材は、前記光源の発光面と対向状をなす形でその出光側に離れて配されている。このようにすれば、光源の発光面から発せられた光は、発光面と対向する波長変換部材に向けて照射される。波長変換部材に照射された光は、蛍光体にて波長変換されるなどしてから拡散板により拡散作用が付与された後に出射される。仮に、光源と波長変換部材との間に導光板を介在させた場合に比べると、光の利用効率が高いものとなるので、高輝度化や低消費電力化などを図る上で好適となる。
【００１５】
（８）前記光源からの光を導光する導光板を備えており、前記波長変換部材は、前記導光板における光出射面と対向状をなす形で配されている。このようにすれば、光源から発せられた光は、導光板に入射して導光板内を伝播された後に、導光板の光出射面から出射される。光出射面から出射された光は、波長変換部材の蛍光体にて波長変換されるなどしてから拡散板により拡散作用が付与された後に出射される。導光板により光を導光することで、波長変換部材に供給される光に輝度ムラが生じ難くなるので、導光板と波長変換部材との間の距離を小さなものとすることができ、もって薄型化などを図る上で好適となる。
【００１６】
（９）前記光源は、青色の光を発するものとされており、前記波長変換部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を含有している。このようにすれば、光源から発せられた青色の光は、波長変換部材に緑色蛍光体及び赤色蛍光体が含有される場合は緑色の光及び赤色の光に、黄色蛍光体が含有される場合は黄色の光に、波長変換される。波長変換部材を透過した光のうち、外周側部分を透過した光は、中央側部分を透過した光に比べると、外周側部分に含有される緑色蛍光体及び赤色蛍光体と黄色蛍光体との少なくともいずれか一方が吸湿などにより劣化した影響を受けて、青色味を帯び易いものとされる。そのような場合であっても、それらの透過光には拡散板によって拡散作用が付与された上で出射されることになるので、その出射光が外周側でのみ青色味がかるといった、問題が生じ難くなる。これにより、色ムラが生じ難いものとなる。
【００１７】
（１０）前記波長変換部材は、前記蛍光体として量子ドット蛍光体を含有している。このようにすれば、波長変換部材による光の波長変換効率がより高いものとなるとともに、波長変換された光の色純度が高いものとなる。また、量子ドット蛍光体は、他の蛍光体に比べると、吸湿などによって劣化が生じ易いものとなっており、波長変換部材の外周側部分では波長変換効率が低下し易くなっているものの、上記したように波長変換部材を透過した光が拡散板により拡散作用を付与されることで、発生が懸念される色ムラが生じ難いものとなっている。
【００１８】
次に、上記課題を解決するために、本発明の表示装置は、上記記載の照明装置と、前記照明装置から照射される光を利用して画像を表示する表示パネルと、を備える表示装置。このような構成の表示装置によれば、照明装置の出射光が色ムラの発生が抑制されたものとなっているから、表示品位に優れた表示を実現することができる。
【００１９】
さらには、上記課題を解決するために、本発明のテレビ受信装置は、上記記載の表示装置を備えるテレビ受信装置。このようなテレビ受信装置によれば、表示装置の表示品位が優れたものとされているから、表示品位に優れたテレビ画像の表示を実現することができる。
【００２０】
（発明の効果）
本発明によれば、色ムラの発生を抑制することができる。
【図面の簡単な説明】
【００２１】
【図１】本発明の実施形態１に係るテレビ受信装置の概略構成を示す分解斜視図
【図２】テレビ受信装置が備える液晶表示装置の概略構成を示す分解斜視図
【図３】液晶表示装置に備わるバックライト装置の平面図
【図４】液晶表示装置の長辺方向に沿った断面構成を示す断面図
【図５】液晶表示装置の短辺方向に沿った断面構成を示す断面図
【図６】図４の端側部分の拡大断面図
【図７】図５の端側部分の拡大断面図
【図８】波長変換シートの拡大断面図
【図９】本発明の実施形態２に係る波長変換シートが貼り付けられた拡散板の底面図
【図１０】液晶表示装置の長辺方向に沿った断面構成を示す断面図
【図１１】図５の中央側部分の拡大断面図
【図１２】本発明の実施形態３に係る液晶表示装置の長辺方向に沿った断面構成を示す断面図であって、端側部分の拡大断面図
【図１３】本発明の実施形態４に係る液晶表示装置の概略構成を示す分解斜視図
【図１４】液晶表示装置の短辺方向に沿った断面構成を示す断面図
【図１５】本発明の実施形態５に係る波長変換シート及び拡散板の端側部分の断面図
【発明を実施するための形態】
【００２２】
＜実施形態１＞
本発明の実施形態１を図１から図８によって説明する。本実施形態では、液晶表示装置１０について例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００２３】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００２４】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタや対向電極、さらには配向膜等が設けられている。なお、両ガラス基板の外側にはそれぞれ偏光板が配されている。
【００２５】
続いて、バックライト装置１２について詳しく説明する。バックライト装置１２は、図２に示すように、表側（光出射側、液晶パネル１１側）に開口する光出射部１４ｂを有した略箱型をなすシャーシ１４と、シャーシ１４の光出射部１４ｂを覆うようにして配される光学部材１５と、シャーシ１４の外縁部に沿って配され光学部材１５の外縁部をシャーシ１４との間で挟んで保持するフレーム１６と、を備える。さらに、シャーシ１４内には、ＬＥＤ（光源）１７と、ＬＥＤ１７が実装されたＬＥＤ基板１８と、シャーシ１４内の光を反射させる反射シート（反射部材）１９と、が備えられる。このように、本実施形態に係るバックライト装置１２は、シャーシ１４内において液晶パネル１１及び光学部材１５の直下位置にＬＥＤ１７が配されてその発光面１７ａが対向状をなす、いわゆる直下型とされる。以下では、バックライト装置１２の各構成部品について詳しく説明する。
【００２６】
シャーシ１４は、例えばアルミニウム板や電気亜鉛めっき綱板（ＳＥＣＣ）などの金属板からなり、図３から図５に示すように、液晶パネル１１と同様に横長な方形状（矩形状、長方形状）をなす底板部（底部）１４ａと、底板部１４ａの各辺（一対の長辺及び一対の短辺）の外端からそれぞれ表側（光出射側）に向けて立ち上がる側板部（側部）１４ｃと、各側板部１４ｃの立ち上がり端から外向きに張り出す受け板部（受け部）１４ｄと、からなり、全体としては表側に向けて開口した浅い略箱型（略浅皿状）をなしている。シャーシ１４は、その長辺方向がＸ軸方向と一致し、短辺方向がＹ軸方向と一致している。シャーシ１４における底板部１４ａは、ＬＥＤ基板１８に対して裏側、つまりＬＥＤ１７に対してその発光面１７ａ側（光出射側）とは反対側に配されている。シャーシ１４における各側板部１４ｃは、底板部１４ａに対して傾斜状をなしている。シャーシ１４における各受け板部１４ｄには、表側からフレーム１６及び次述する光学部材１５が載置可能とされる。各受け板部１４ｄには、フレーム１６が固定されている。
【００２７】
光学部材１５は、図２に示すように、液晶パネル１１及びシャーシ１４と同様に平面に視て横長の方形状をなしている。光学部材１５は、図４及び図５に示すように、その外縁部が受け板部１４ｄに載せられることで、シャーシ１４の光出射部１４ｂを覆うとともに、液晶パネル１１とＬＥＤ１７との間に介在して配される。光学部材１５は、ＬＥＤ１７の発光面１７ａに対して表側、つまり光出射側に所定の間隔を空けて対向状をなしている。光学部材１５は、相対的に厚い拡散板１５ａと、相対的に薄い光学シート１５ｂと、から構成される。拡散板１５ａは、光学シート１５ｂより厚くてほぼ透明な樹脂製の基材内に拡散粒子を多数分散して設けた構成とされ、透過する光を拡散させる機能を有する。拡散板１５ａは、光学シート１５ｂよりも厚くて十分に高い剛性を有しているから、高い平坦性を有するものとされ、それによりＬＥＤ１７からの光を板面内において均一に拡散させることができる。光学シート１５ｂは、拡散板１５ａと比べると板厚が薄いシート状をなしており、合計で３枚が備えられている。具体的には、光学シート１５ｂは、ＬＥＤ１７から発せられた光（一次光）を他の波長の光へと波長変換する波長変換シート（波長変換部材）２０と、光に集光作用を付与するプリズムシート２１と、光を偏光反射する反射型偏光シート２２と、から構成される。このうちの波長変換シート２０に関しては、後に改めて詳しく説明する。
【００２８】
プリズムシート２１は、基材と、基材における表側の板面に設けられるプリズム部と、を有しており、このうちのプリズム部が、Ｘ軸方向に沿って延在するとともにＹ軸方向に沿って多数並んで配される単位プリズムから構成されている。このような構成により、プリズムシート２１は、光に対し、Ｙ軸方向（単位プリズムの並び方向、単位プリズムの延在方向と直交する方向）について選択的に集光作用（異方性集光作用）を付与するものとされる。反射型偏光シート２２は、光を偏光反射する反射型偏光フィルムと、反射型偏光フィルムを表裏から挟み込む一対の拡散フィルムと、から構成される。反射型偏光フィルムは、例えば屈折率の互いに異なる層を交互に積層した多層構造を有しており、光に含まれるｐ波を透過させ、ｓ波を裏側へ反射させる構成となっている。反射型偏光フィルムによって反射されたｓ波は、後述する反射シート１９などによって、再度表側に反射され、その際に、ｓ波とｐ波に分離する。このように、反射型偏光シート２２は、反射型偏光フィルムを備えることで、本来ならば、液晶パネル１１の偏光板によって吸収されるｓ波を、裏側（反射シート１９側）へ反射させることで再利用することができ、光の利用効率（ひいては輝度）を高めることができる。一対の拡散フィルムは、ポリカーボネートなどの合成樹脂材料からなり、反射型偏光フィルム側とは反対側の板面にエンボス加工が施されることで、光に拡散作用を付与するものとされる。
【００２９】
フレーム１６は、図２に示すように、液晶パネル１１及び光学部材１５の外周縁部に沿う枠状をなしている。このフレーム１６と各受け板部１４ｄとの間で光学部材１５における外縁部を挟持可能とされている（図４及び図５）。また、このフレーム１６は、液晶パネル１１における外縁部を裏側から受けることができ、表側に配されるベゼル１３との間で液晶パネル１１の外縁部を挟持可能とされる（図４及び図５）。
【００３０】
次に、ＬＥＤ１７及びＬＥＤ１７が実装されるＬＥＤ基板１８について説明する。ＬＥＤ１７は、図４及び図５に示すように、ＬＥＤ基板１８上に表面実装されるとともにその発光面１７ａがＬＥＤ基板１８側とは反対側を向いた、いわゆる頂面発光型とされており、その光軸がＺ軸方向、つまり液晶パネル１１の表示面（光学部材１５の板面）に対する法線方向と一致している。ここで言う「光軸」とは、ＬＥＤ１７における発光光のうち、発光強度が最も高い（ピークとなる）光の進行方向と一致する軸のことである。詳しくは、ＬＥＤ１７は、図６及び図７に示すように、発光源である青色ＬＥＤ素子（青色発光素子、青色ＬＥＤチップ）を、封止材によってケース内に封止してなるものとされる。つまり、このＬＥＤ１７は、青色の単色光を発する青色ＬＥＤとされている。そして、ＬＥＤ１７から発せられた青色の光は、その一部が詳しくは後述する波長変換シート２０によって緑色の光や赤色の光に波長変換されるようになっており、これら波長変換された緑色の光及び赤色の光と、ＬＥＤ１７の青色の光と、の加法混色によりバックライト装置１２の出射光が概ね白色を呈するものとされる。ＬＥＤ１７に備わる青色ＬＥＤ素子は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子の発光光と同色の単色光とされる。この青色ＬＥＤ素子は、図示しないリードフレームによってケース外に配されたＬＥＤ基板１８における配線パターンに接続される。
【００３１】
ＬＥＤ基板１８は、図３に示すように、やや縦長な方形状（矩形状、長方形状）をなしており、長辺方向がＹ軸方向と一致し、短辺方向がＸ軸方向と一致する状態でシャーシ１４内において底板部１４ａに沿って延在しつつ収容されている。ＬＥＤ基板１８の基材は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。なお、ＬＥＤ基板１８の基材に用いる材料としては、セラミックなどの絶縁材料を用いることも可能である。このＬＥＤ基板１８の基材の板面のうち、表側を向いた板面（光学部材１５側を向いた板面）には、上記した構成のＬＥＤ１７が表面実装されており、ここが実装面１８ａとされる。ＬＥＤ１７は、ＬＥＤ基板１８の実装面１８ａの面内において複数ずつ行列状（マトリクス状、碁盤目状）に並列して配されるとともに、実装面１８ａの面内に配索形成された配線パターンによって相互が電気的に接続されている。具体的には、ＬＥＤ基板１８の実装面１８ａ上には、その短辺方向（Ｘ軸方向）に沿って５個（相対的に少ない数）ずつ、長辺方向（Ｙ軸方向）に沿って６個（相対的に多い数）ずつのＬＥＤ１７が行列状に並んで配置されている。ＬＥＤ基板１８における各ＬＥＤ１７の配列ピッチは、ほぼ一定とされ、詳しくはＸ軸方向（行方向）及びＹ軸方向（列方向）についてそれぞれほぼ等間隔に配列されている。
【００３２】
上記した構成のＬＥＤ基板１８は、図３に示すように、シャーシ１４内においてＸ軸方向及びＹ軸方向に沿って複数ずつが互いに長辺方向及び短辺方向を揃えた状態で並列して配置されている。具体的には、ＬＥＤ基板１８は、シャーシ１４内においてＸ軸方向に沿って４枚（相対的に多い数）ずつ、Ｙ軸方向に沿って２枚（相対的に少ない数）ずつ、それぞれ並んで配されており、それらの並び方向がＸ軸方向及びＹ軸方向とそれぞれ一致している。Ｘ軸方向及びＹ軸方向についてそれぞれ隣り合うＬＥＤ基板１８間の配列間隔は、ほぼ一定とされる。そして、シャーシ１４の底板部１４ａの面内においてＬＥＤ１７は、Ｘ軸方向（行方向）及びＹ軸方向（列方向）についてそれぞれほぼ等間隔となるよう行列状に並ぶよう平面配置されている。具体的には、ＬＥＤ１７は、シャーシ１４の底板部１４ａの面内においてその長辺方向（Ｘ軸方向）に沿って２０個ずつ、短辺方向（Ｙ軸方向）に沿って１２個ずつが行列状に並ぶ形で平面配置されている。これらのＬＥＤ１７群の全てに対して、シャーシ１４の光出射部１４ｂを覆う形で配された光学部材１５は、所定の間隔を空けつつ対向状に配されている。なお、各ＬＥＤ基板１８には、図示しない配線部材が接続されるコネクタ部が設けられており、配線部材を介して図示しないＬＥＤ駆動基板（光源駆動基板）から駆動電力が供給されるようになっている。
【００３３】
反射シート１９は、合成樹脂製とされ、表面が光の反射性に優れた白色を呈するものとされる。反射シート１９は、その表面にて特定の波長の光を吸収することがなく、全ての可視光線を乱反射するものとされており、全域にわたって光の反射率がほぼ一定とされている。反射シート１９は、図３から図５に示すように、シャーシ１４の内面のほぼ全域にわたって敷設される大きさを有しているので、シャーシ１４内に配されたＬＥＤ基板１８をほぼ全域にわたって表側（光出射側、光学部材１５側）から覆うことが可能とされる。この反射シート１９によりシャーシ１４内の光を表側（光出射側、光学部材１５側）に向けて反射させることができるようになっている。反射シート１９は、ＬＥＤ基板１８（底板部１４ａ）に沿って延在するとともに各ＬＥＤ基板１８を一括してそのほぼ全域を覆う大きさの底側反射部１９ａと、底側反射部１９ａの各外端から表側に立ち上がるとともに底側反射部１９ａに対して傾斜状をなす４つの立ち上がり反射部１９ｂと、各立ち上がり反射部１９ｂの外端から外向きに延出するとともにシャーシ１４の受け板部１４ｄに載せられる延出部１９ｃとから構成されている。この反射シート１９の底側反射部１９ａが各ＬＥＤ基板１８における表側の面、つまりＬＥＤ１７の実装面１８ａに対して表側に重なるよう配される。また、反射シート１９の底側反射部１９ａには、各ＬＥＤ１７と平面に視て重畳する位置に各ＬＥＤ１７を個別に挿通するＬＥＤ挿通孔（光源挿通孔）１９ｄが開口して設けられている。このＬＥＤ挿通孔１９ｄは、各ＬＥＤ１７の配置に対応してＸ軸方向及びＹ軸方向について行列状（マトリクス状）に複数が並列配置されている。各立ち上がり反射部１９ｂは、底側反射部１９ａ側（立ち上がり基端側）からシャーシ１４の受け板部１４ｄ側（立ち上がり先端側）に向けて直線的に延在する形で底側反射部１９ａに対して傾斜状をなしている。
【００３４】
次に、波長変換シート２０に関して詳しく説明する。波長変換シート２０は、図８に示すように、ＬＥＤ１７からの光を波長変換するための蛍光体（波長変換物質）を含有する蛍光体層（波長変換層、蛍光体フィルム）２０ａと、蛍光体層２０ａを表裏から挟み込んでこれを保護する一対の保護層（保護フィルム）２０ｂと、から構成されている。蛍光体層２０ａには、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。蛍光体層２０ａは、ほぼ透明な合成樹脂製でフィルム状をなす基材（蛍光体担体）２０ａ１に、赤色蛍光体及び緑色蛍光体を分散配合した蛍光体塗料２０ａ２を塗布してなるものとされる。保護層２０ｂは、ほぼ透明な合成樹脂製でフィルム状をなしており、防湿性などに優れるものとされる。
【００３５】
より詳しくは、蛍光体層２０ａに含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピークのピーク波長が緑色の光の波長範囲の中の約５３０ｎｍとされ且つピークの半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピークのピーク波長が赤色の光の波長範囲の中の約６１０ｎｍとされ且つピークの半値幅が４０ｎｍ未満とされる発光スペクトルを有する。
【００３６】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００３７】
ところで、ＬＥＤ１７の青色の光を波長変換するための波長変換シート２０は、図８に示すように、蛍光体層２０ａを一対の保護層２０ｂで挟む込んだ構成とされることで、蛍光体層２０ａの保護が図られているものの、蛍光体層２０ａの外周端については外気に含まれる水分などに曝され易いものとなっている。このため、蛍光体層２０ａのうち外周側部分では、中央側部分に比べると、含有する各蛍光体に吸湿などによる劣化が生じ易いものとなっている。この蛍光体の性能劣化は、蛍光体層２０ａの外周端に封止などの防湿措置が採られていない構成において特に生じ易いものとされる。そして、波長変換シート２０の外周側部分において局所的に各蛍光体の性能劣化が進行すると、その外周側部分における光の波長変換効率が中央側部分の同波長変換効率よりも低下するため、外周側部分を透過した光が、中央側部分を透過した光よりもＬＥＤ１７の光（一次光）と同系色の色味、つまり青色味を帯びたものとなるおそれがある。つまり、バックライト装置１２の出射光が中央側では白色に近いものの、外周側ではそれよりも青色味を帯びたものとなる、という色ムラが視認されることが懸念される。波長変換シート２０のうち上記のような色ムラが生じ得る外周側部分は、平面に視て所定幅の枠状（額縁状）をなすものとされており、具体的に色ムラとなる部分の範囲（幅寸法）は、防湿措置の有無、使用環境（温度や湿度など）、各蛍光体の物性（耐吸湿性など）などの諸条件に応じて変動し得るものとされるが、画像が表示される表示領域にまで及ぶと、表示不良が発現するおそれがある。
【００３８】
そこで、本実施形態に係るバックライト装置１２は、図６及び図７に示すように、拡散板１５ａが波長変換シート２０に対して表側、つまり出光側に配される構成となっている。このような構成によれば、波長変換シート２０の外周側部分において各蛍光体が吸湿などによって劣化し、波長変換シート２０の外周側部分を透過した光の色味と、波長変換シート２０の中央側部分を透過した光の色味と、に差が生じていた場合であっても、それらの透過光には表側に配された拡散板１５ａによって拡散作用が付与され、その上でバックライト装置１２の照明光として出射されることになる。従って、バックライト装置１２の出射光には、中央側と外周側とで色味の差が生じ難くなり、もって色ムラが視認され難いものとなる。特に、本実施形態では、波長変換シート２０に含有される緑色蛍光体及び赤色蛍光体が共に量子ドット蛍光体とされ、他の種類の蛍光体に比べると吸湿などによって性能劣化が生じ易く、波長変換シート２０の外周側部分において波長変換効率が低下し易い傾向にあるものの、上記のように波長変換シート２０の透過光が拡散板１５ａによる拡散されることで、発生が懸念される色ムラが効果的に抑制されるようになっている。
【００３９】
詳しくは、波長変換シート２０は、図６及び図７に示すように、拡散板１５ａのうち裏側、つまり出光側とは反対側の板面に貼り付けられている。これにより、波長変換シート２０の平坦性を拡散板１５ａによって担保することができる。その上で、波長変換シート２０は、拡散板１５ａとの間に介在する接着層２３によって接着されている。接着層２３は、例えばＯＣＡ（Optical Clear Adhesive）などの透明光学粘着フィルムからなるものとされている。このようにすれば、波長変換シート２０の透過光が波長変換シート２０と接着層２３との間の界面や接着層２３と拡散板１５ａとの界面にて反射されるなどして再び波長変換シート２０を通過し易くなるので、波長変換シート２０の各蛍光体による光の波長変換効率がより高いものとなる。しかも、拡散板１５ａは、平面に視た大きさが波長変換シート２０とほぼ同じ程度とされており、波長変換シート２０をその全域にわたって表側から覆う形で配されている。このような構成によれば、波長変換シート２０の中央側部分及び外周側部分の透過光に対して拡散板１５ａによって拡散作用が万遍なく付与されるので、色ムラがより生じ難いものとなる。
【００４０】
具体的な光学部材１５の積層順は、図６及び図７に示すように、裏側から、波長変換シート２０、拡散板１５ａ、プリズムシート２１、反射型偏光シート２２、となっている。つまり、拡散板１５ａの表側には、拡散板１５ａよりも薄い光学シート１５ｂであるプリズムシート２１及び反射型偏光シート２２が順次に積層する形で配されている。拡散板１５ａは、プリズムシート２１及び反射型偏光シート２２などの光学シート１５ｂに比べると、厚くて高い剛性を有しているので、拡散板１５ａ上に直接プリズムシート２１及び反射型偏光シート２２を載せる配置とすることで、プリズムシート２１及び反射型偏光シート２２の平坦性を十分に担保することができる。
【００４１】
本実施形態は以上のような構造であり、続いてその作用を説明する。液晶表示装置１０の電源が投入されると、図示しないコントロール基板から出力される表示に係る各種信号が液晶パネル１１へと伝送されることで、液晶パネル１１の駆動が制御されるとともに、図示しないＬＥＤ駆動基板によりＬＥＤ基板１８のＬＥＤ１７の駆動が制御される。点灯されたＬＥＤ１７からの光は、図４及び図５に示すように、直接的に光学部材１５に照射されたり、反射シート１９により反射されて間接的に光学部材１５に照射されたりして光学部材１５にて所定の光学作用が付与された後に液晶パネル１１へと照射されることで、液晶パネル１１の表示領域にて画像の表示に利用される。
【００４２】
バックライト装置１２の光学作用（但し、後述する拡散板１５ａ及び波長変換シート２０の詳しい光学作用などを除く）について詳しく説明すると、図４及び図５に示すように、ＬＥＤ１７から発せられた青色の光（一次光）は、光学部材１５を構成する拡散板１５ａ及び光学シート１５ｂによって光学作用を付与される。光学シート１５ｂには、波長変換シート２０が含まれているので、ＬＥＤ１７から発せられた青色の光の一部については、波長変換シート２０に含有される緑色蛍光体及び赤色蛍光体により緑色の光及び赤色の光（二次光）へと波長変換される。この波長変換された緑色の光及び赤色の光、つまり黄色の光（二次光）と、ＬＥＤ１７の青色の光（一次光）と、によって概ね白色の照明光が得られることになる。これらＬＥＤ１７の青色の光（一次光）と、波長変換された緑色の光及び赤色の光（二次光）と、は、プリズムシート２１にてＹ軸方向について選択的に集光作用（異方性集光作用）が付与された後に、反射型偏光シート２２にて特定の偏光光（ｐ波）が選択的に透過されて液晶パネル１１に向けて出射するのに対し、それとは異なる特定の偏光光（ｓ波）が選択的に裏側へと反射される。反射型偏光シート２２にて反射されたｓ波やプリズムシート２１にて集光作用を付与されずに裏側へと反射された光や拡散板１５ａにて裏側へ向けて反射された光などは、反射シート１９にて再び反射されて再び表側へ向けて進行することになる。
【００４３】
次に、拡散板１５ａ及び波長変換シート２０の光学作用について詳しく説明する。波長変換シート２０は、光学部材１５の中でも最も裏側、つまりＬＥＤ１７に近い側に配されているので、ＬＥＤ１７からの青色の光（一次光）が直接的に、或いは反射シート１９により反射されて間接的に照射されるようになっている。波長変換シート２０は、図８に示すように、一対の保護層２０ｂにより挟み込まれた蛍光体層２０ａに緑色蛍光体及び赤色蛍光体を有しているので、それら緑色蛍光体及び赤色蛍光体によって上記したＬＥＤ１７からの青色の光を緑色の光及び赤色の光（二次光）へと波長変換するものとされる。ここで、波長変換シート２０の外周側部分は、中央側部分に比べると、蛍光体層２０ａの外周端が外気に含まれる水分などに曝され易いため、緑色蛍光体及び赤色蛍光体に吸湿などに伴う性能劣化が生じ易いものとなっている。このため、波長変換シート２０の外周側部分では、中央側部分に比べると、緑色蛍光体及び赤色蛍光体による青色の光の波長変換効率が低下していて透過光に含まれる青色の光の比率が高くなるため、同透過光が相対的に青色味を帯びたものとなり易くなっている。その点、波長変換シート２０に対して出光側には、波長変換シート２０よりも厚い拡散板１５ａが重なる形で配されているから、波長変換シート２０の透過光に上記のような色ムラが生じていた場合であっても、その透過光を拡散板１５ａによって拡散することで、波長変換シート２０の外周側部分を透過した光と中央側部分を透過した光とが混じり合い、結果として拡散板１５ａの出射光に色ムラが生じ難いものとなる。これにより、液晶パネル１１の表示領域に表示される画像（テレビ画像）に係る表示品位が低下し難いものとなる。
【００４４】
しかも、波長変換シート２０は、図６及び図７に示すように、拡散板１５ａのうち裏側の板面に接着層２３を介して貼り付けられているから、拡散板１５ａにより高い平坦性が担保されるのに加えて、波長変換シート２０の透過光が波長変換シート２０と接着層２３との間の界面や接着層２３と拡散板１５ａとの界面にて反射されるなどして再び波長変換シート２０を通過し易くなるので、波長変換シート２０の各蛍光体による光の波長変換効率がより高いものとなる。具体的には、波長変換シート２０の各蛍光体による光の波長変換効率は、例えば３％〜５％程度向上するものとされる。また、波長変換シート２０が高い平坦性を担保されることで、波長変換シート２０に皺などの変形が生じ難くなるので、輝度ムラが生じ難いものとなる。さらには、拡散板１５ａは、波長変換シート２０をその全域にわたって表側から覆う形で配されているので、波長変換シート２０の中央側部分及び外周側部分の透過光に対して拡散板１５ａによって拡散作用が万遍なく付与され、もって色ムラがより生じ難いものとなる。その上、拡散板１５ａの表側には、プリズムシート２１及び反射型偏光シート２２が順次に積層する形で配されているから、プリズムシート２１及び反射型偏光シート２２の平坦性が拡散板１５ａによって十分に担保されるようになっている。これにより、プリズムシート２１及び反射型偏光シート２２に皺などの変形が生じ難くなるので、輝度ムラが生じ難いものとなる。
【００４５】
以上説明したように本実施形態のバックライト装置（照明装置）１２は、ＬＥＤ（光源）１７と、ＬＥＤ１７からの光を波長変換する蛍光体を含有する波長変換シート（波長変換部材）２０と、ＬＥＤ１７からの光に拡散作用を付与する拡散板１５ａであって、波長変換シート２０よりも厚く、波長変換シート２０に対して出光側に配される拡散板１５ａと、を備える。
【００４６】
このようにすれば、ＬＥＤ１７からの光は、拡散板１５ａにより拡散作用が付与されるとともに波長変換シート２０に含有される蛍光体によって波長変換されて出射される。拡散板１５ａは、波長変換シート２０よりも厚いから、高い平坦性を有するものとされ、それによりＬＥＤ１７からの光を板面内において均一に拡散させることができる。そして、拡散板１５ａは、波長変換シート２０に対して出光側に配されているから、例えば、波長変換シート２０の外周側部分において蛍光体が吸湿などによって劣化し、波長変換シート２０の外周側部分を透過した光の色味と、中央側部分を透過した光の色味と、に差が生じていた場合であっても、それらの透過光には拡散板１５ａによって拡散作用が付与された上で出射されることになるので、その出射光には中央側と外周側とで色味の差が生じ難くなる。これにより、色ムラが生じ難いものとなる。
【００４７】
また、波長変換シート２０は、拡散板１５ａのうち出光側とは反対側の板面に貼り付けられている。このようにすれば、波長変換シート２０の平坦性を拡散板１５ａによって担保することができる。
【００４８】
また、波長変換シート２０と拡散板１５ａとの間には、接着層２３が介在する形で設けられている。このようにすれば、波長変換シート２０の透過光が波長変換シート２０と接着層２３との間の界面や接着層２３と拡散板１５ａとの界面にて反射されて再び波長変換シート２０を通過し易くなるので、波長変換シート２０の蛍光体による波長変換効率がより高いものとなる。
【００４９】
また、拡散板１５ａに対して出光側には、拡散板１５ａよりも薄い光学シート１５ｂであるプリズムシート２１及び反射型偏光シート２２が重なる形で配されている。このようにすれば、光学シート１５ｂであるプリズムシート２１及び反射型偏光シート２２の平坦性を拡散板１５ａによって担保することができる。
【００５０】
また、拡散板１５ａは、波長変換シート２０をその全域にわたって出光側から覆う形で配されている。このようにすれば、波長変換シート２０の透過光に対して拡散板１５ａによって拡散作用が悉に付与されるので、色ムラがより生じ難いものとなる。
【００５１】
また、ＬＥＤ１７は、青色の光を発するものとされており、波長変換シート２０は、蛍光体として、青色の光を緑色の光に波長変換する緑色蛍光体及び青色の光を赤色の光に波長変換する赤色蛍光体を含有している。このようにすれば、ＬＥＤ１７から発せられた青色の光は、波長変換シート２０に含有される緑色蛍光体及び赤色蛍光体により緑色の光及び赤色の光に波長変換される。波長変換シート２０を透過した光のうち、外周側部分を透過した光は、中央側部分を透過した光に比べると、外周側部分に含有される緑色蛍光体及び赤色蛍光体が吸湿などにより劣化した影響を受けて、青色味を帯び易いものとされる。そのような場合であっても、それらの透過光には拡散板１５ａによって拡散作用が付与された上で出射されることになるので、その出射光が外周側でのみ青色味がかるといった、問題が生じ難くなる。これにより、色ムラが生じ難いものとなる。
【００５２】
また、波長変換シート２０は、蛍光体として量子ドット蛍光体を含有している。このようにすれば、波長変換シート２０による光の波長変換効率がより高いものとなるとともに、波長変換された光の色純度が高いものとなる。また、量子ドット蛍光体は、他の蛍光体に比べると、吸湿などによって劣化が生じ易いものとなっており、波長変換シート２０の外周側部分では波長変換効率が低下し易くなっているものの、上記したように波長変換シート２０を透過した光が拡散板１５ａにより拡散作用を付与されることで、発生が懸念される色ムラが生じ難いものとなっている。
【００５３】
また、波長変換シート２０は、ＬＥＤ１７の発光面１７ａと対向状をなす形でその出光側に離れて配されている。このようにすれば、ＬＥＤ１７の発光面１７ａから発せられた光は、発光面１７ａと対向する波長変換シート２０に向けて照射される。波長変換シート２０に照射された光は、蛍光体にて波長変換されるなどしてから拡散板１５ａにより拡散作用が付与された後に出射される。仮に、ＬＥＤ１７と波長変換シート２０との間に導光板を介在させた場合に比べると、光の利用効率が高いものとなるので、高輝度化や低消費電力化などを図る上で好適となる。
【００５４】
本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２の出射光が色ムラの発生が抑制されたものとなっているから、表示品位に優れた表示を実現することができる。
【００５５】
本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００５６】
＜実施形態２＞
本発明の実施形態２を図９から図１１によって説明する。この実施形態２では、波長変換シート１２０の構成を変更したものを示す。なお、上記した実施形態１と同様の構造、作用及び効果について重複する説明は省略する。
【００５７】
本実施形態に係る波長変換シート１２０は、図９から図１１に示すように、外形が拡散板１１５ａよりも小さな複数の分割波長変換シート（分割波長変換部材）２４からなるものとされる。具体的には、波長変換シート１２０は、合計で４枚の分割波長変換シート２４から構成されており、拡散板１１５ａの板面内においてその長辺方向（Ｘ軸方向）及び短辺方向（Ｙ軸方向）について分割波長変換シート２４が２枚ずつ並んで配されている。各分割波長変換シート２４は、それぞれの長辺寸法及び短辺寸法が拡散板１１５ａにおける各寸法のほぼ半分ずつの大きさとされている。つまり、各分割波長変換シート２４は、拡散板１１５ａと相似形をなしている。その上で、各分割波長変換シート２４は、それぞれの長辺方向及び短辺方向を、拡散板１１５ａにおける長辺方向及び短辺方向とそれぞれ一致させた形で拡散板１１５ａに貼り付けられている。従って、各分割波長変換シート２４が拡散板１１５ａに貼り付けられた状態では、隣り合う分割波長変換シート２４の間の境界（切れ目、波長変換シート１２０の分割位置）２４ＢＯが拡散板１１５における長辺方向及び短辺方向の各中央位置に配されるとともに短辺方向及び長辺方向に沿って拡散板１１５ａの全長にわたってそれぞれ延在する形で配されることになる。つまり、隣り合う分割波長変換シート２４の間の境界２４ＢＯは、拡散板１１５ａの板面内において十字型をなすとともに拡散板１１５ａの板面をほぼ均等に四分割している。
【００５８】
このような構成によれば、液晶パネル１１１の画面サイズが超大型（例えば８０インチなど）とされるとともに、拡散板１１５ａについては液晶パネル１１１の画面サイズに適合したものを用意できるものの、波長変換シート１２０については液晶パネル１１１の画面サイズに適合したものを用意できない場合において、液晶パネル１１１の画面サイズの半分の画面サイズ（例えば４０インチなど）に適合した分割波長変換シート２４を４枚用いることで対応することができる。このように、バックライト装置１１２及び液晶表示装置１１０の大型化を図る上で好適とされる。
【００５９】
ところで、各分割波長変換シート２４の外周側部分は、中央側部分に比べると、外周端が外気に含まれる水分などに曝され易いため、含有する緑色蛍光体及び赤色蛍光体に吸湿などに伴う性能劣化が生じ易いものとなっている。このため、分割波長変換シート２４の外周側部分では、中央側部分に比べると、緑色蛍光体及び赤色蛍光体による青色の光の波長変換効率が低下していて透過光に含まれる青色の光の比率が高くなるため、同透過光が相対的に青色味を帯びたものとなり易くなっている。このように、各分割波長変換シート２４の外周側部分と中央側部分とで透過光の色味に差が生じると、拡散板１１５ａの板面内において隣り合って配される分割波長変換シート２４の境界２４ＢＯに倣う形で青色味を帯びた領域が視認される可能性がある。このような場合であっても、各分割波長変換シート２４に対して表側には、拡散板１１５ａが配されているので、各分割波長変換シート２４の外周側部分及び中央側部分をそれぞれ透過した光には、拡散板１１５ａによって拡散作用が付与されることで、各分割波長変換シート２４の外周側部分の透過光と中央側部分の透過光とが混じり合い、結果として拡散板１１５ａの出射光に色ムラが生じ難いものとなる。これにより、液晶パネル１１１の表示領域に表示される画像に係る表示品位が低下し難いものとなる。
【００６０】
以上説明したように本実施形態によれば、波長変換シート１２０は、外形が拡散板１１５ａよりも小さなものとされて拡散板１１５ａの板面内に並んで配される複数の分割波長変換シート２４からなるものとされる。このようにすれば、当該バックライト装置１１２の大型化を図る上で好適とされる。このように、波長変換シート１２０を構成する複数の分割波長変換シート２４が拡散板１１５ａの板面内に並ぶ形で配されると、各分割波長変換シート２４の外周側部分が拡散板１１５ａの板面内における中央側にも配置されることになるものの、複数の分割波長変換シート２４に対して出光側に配される拡散板１１５ａによってそれら各分割波長変換シート２４の透過光に拡散作用が付与される。これにより、各分割波長変換シート２４の外周側部分を透過した光の色味と各分割波長変換シート２４の中央側部分を透過した光の色味とに差が生じていた場合でも、それらの透過光には拡散板１１５ａによって拡散作用が付与された上で出射されるので、その出射光に色ムラが生じ難いものとなる。
【００６１】
＜実施形態３＞
本発明の実施形態３を図１２によって説明する。この実施形態３では、上記した実施形態１に記載した構成に第２の拡散板２５を追加するなどしたものを示す。なお、上記した実施形態１と同様の構造、作用及び効果について重複する説明は省略する。
【００６２】
本実施形態に係るバックライト装置２１２には、図１２に示すように、波長変換シート２２０に対して裏側、つまり拡散板（第１の拡散板）２１５ａとは反対側に重なる形で配される第２の拡散板２５が備えられている。第２の拡散板２５は、波長変換シート２２０よりも厚く、拡散板２１５ａとほぼ同じ程度の厚みとされる。具体的には、第２の拡散板２５を拡散板２１５ａと同一部品とすれば、バックライト装置２１２の製造コストの低廉化を図る上でより好適とされる。
【００６３】
このような構成によれば、波長変換シート２２０は、第２の拡散板２５によって裏側から支持されているので、上記した実施形態１のような接着層２３（図６及び図７を参照）を用いなくても十分に高い平坦性が得られる。その上で、波長変換シート２２０は、拡散板２１５ａと第２の拡散板２５との間に挟み込まれて保持されているので、その平坦性がより高いものとされている。さらには、第２の拡散板２５によって拡散作用が付与された光が波長変換シート２２０によって波長変換されることになるので、輝度ムラのさらなる緩和を図る上で好適とされる。
【００６４】
以上説明したように本実施形態によれば、波長変換シート２２０よりも厚く、波長変換シート２２０に対して拡散板２１５ａ側とは反対側に重なる形で配される第２の拡散板２５が備えられる。このようにすれば、波長変換シート２２０は、第２の拡散板２５によって拡散板２１５ａ側とは反対側から支持されるとともに、拡散板２１５ａと第２の拡散板２５との間に挟み込まれることで、その平坦性が高いものとされる。また、第２の拡散板２５によって拡散作用が付与された光が波長変換シート２２０によって波長変換されるので、輝度ムラの緩和を図る上でより好適とされる。
【００６５】
＜実施形態４＞
本発明の実施形態４を図１３及び図１４によって説明する。この実施形態４では、上記した実施形態１からバックライト装置３１２をエッジライト型に変更したものを示す。なお、上記した実施形態１と同様の構造、作用及び効果について重複する説明は省略する。
【００６６】
本実施形態に係る液晶表示装置３１０は、図１３に示すように、液晶パネル３１１と、エッジライト型のバックライト装置３１２とをベゼル３１３などにより一体化した構成とされる。なお、液晶パネル３１１の構成は、上記した実施形態１と同様であるから、重複する説明は省略する。以下、エッジライト型のバックライト装置３１２の構成について説明する。
【００６７】
バックライト装置３１２は、図１３に示すように、表側側（液晶パネル３１１側）に向けて開口する光出射部３１４ｂを有した略箱型をなすシャーシ３１４と、シャーシ３１４の光出射部３１４ｂを覆う形で配される光学部材３１５と、を備える。さらに、シャーシ３１４内には、光源であるＬＥＤ３１７と、ＬＥＤ３１７が実装されたＬＥＤ基板３１８と、ＬＥＤ３１７からの光を導光して光学部材３１５（液晶パネル３１１）へと導く導光板２６と、導光板２６を表側から押さえるフレーム３１６と、が備えられる。そして、このバックライト装置３１２は、その長辺側の両端部にＬＥＤ３１７を有するＬＥＤ基板３１８をそれぞれ備えるとともに、両ＬＥＤ基板３１８間に挟まれた中央側に導光板２６を配置してなる、いわゆるエッジライト型（サイドライト型）とされている。このように本実施形態に係るバックライト装置３１２は、エッジライト型であるから、実施形態１にて示した直下型のバックライト装置１２で用いていた反射シート１９などが備えられていない。続いて、バックライト装置３１２の各構成部品について詳しく説明する。
【００６８】
シャーシ３１４は、金属製とされ、図１３及び図１４に示すように、液晶パネル３１１と同様に横長の方形状をなす底板部３１４ａと、底板部３１４ａの各辺の外端からそれぞれ立ち上がる側板部３１４ｃとからなり、全体としては表側に向けて開口した浅い略箱型をなしている。シャーシ３１４（底板部３１４ａ）は、その長辺方向がＸ軸方向（水平方向）と一致し、短辺方向がＹ軸方向（鉛直方向）と一致している。また、側板部３１４ｃには、フレーム３１６及びベゼル３１３が固定可能とされる。
【００６９】
フレーム３１６は、図１３に示すように、導光板２６の外周縁部に沿って延在する枠状部（額縁状部）３１６ａを有しており、その枠状部３１６ａにより導光板２６の外周縁部をほぼ全周にわたって表側から押さえることが可能とされる。フレーム３１６の枠状部３１６ａのうち両長辺部分における裏側の面、つまり導光板２６及びＬＥＤ基板３１８（ＬＥＤ３１７）との対向面には、図１４に示すように、光を反射させる第１反射シート２７がそれぞれ取り付けられている。第１反射シート２７は、枠状部３１６ａの長辺部分におけるほぼ全長にわたって延在する大きさを有しており、導光板２６におけるＬＥＤ３１７側の端部に直接当接されるとともに導光板２６の上記端部とＬＥＤ基板３１８とを一括して表側から覆うものとされる。フレーム３１６は、導光板２６を表側から押さえる枠状部３１６ａによって光学部材３１５の外周縁部を裏側から支持するものとされ、それにより光学部材３１５が後述する導光板２６の光出射面２６ａとの間に所定の間隔（空気層）を空けた形で支持される。さらには、フレーム３１６は、枠状部３１６ａから表側に向けて突出するとともに、液晶パネル３１１における外周縁部を裏側から支持する液晶パネル支持部３１６ｂを有している。
【００７０】
ＬＥＤ３１７は、上記した実施形態１と同様の構成であるから、重複する説明は省略する。ＬＥＤ基板３１８は、図１３に示すように、シャーシ３１４の長辺方向（Ｘ軸方向、導光板２６における光入射面２６ｂの長手方向）に沿って延在する細長い板状をなすとともに、その主板面をＸ軸方向及びＺ軸方向に並行した姿勢、つまり液晶パネル３１１及び導光板２６（光学部材３１５）の板面と直交させた姿勢でシャーシ３１４内に収容されている。ＬＥＤ基板３１８は、導光板２６をその短辺方向（Ｙ軸方向）の両側方から挟み込む形で対をなす形で設置されている。ＬＥＤ基板３１８の主板面であって内側、つまり導光板２６側を向いた面（導光板２６との対向面）には、ＬＥＤ３１７が実装されている。ＬＥＤ３１７は、ＬＥＤ基板３１８の実装面において、その長さ方向（Ｘ軸方向）に沿って複数が一列に（直線的に）並んで配置されている。従って、ＬＥＤ３１７は、バックライト装置３１２における長辺側の両端部においてそれぞれ長辺方向に沿って複数ずつ並んで配置されていると言える。各ＬＥＤ基板３１８に実装された複数のＬＥＤ３１７は、基板配線部（図示せず）によって直列接続されている。各ＬＥＤ基板３１８は、ＬＥＤ３１７の実装面が互いに対向状をなす姿勢でシャーシ３１４内に収容されているので、両ＬＥＤ基板３１８にそれぞれ実装された各ＬＥＤ３１７の発光面が対向状をなすとともに、各ＬＥＤ３１７における光軸がＹ軸方向とほぼ一致する。
【００７１】
導光板２６は、屈折率が空気よりも十分に高く且つほぼ透明な（透光性に優れた）合成樹脂材料（例えばＰＭＭＡなどのアクリル樹脂材料など）からなる。導光板２６は、図１３に示すように、液晶パネル３１１及びシャーシ３１４と同様に平面に視て横長の方形状をなしており、その長辺方向がＸ軸方向と、短辺方向がＹ軸方向とそれぞれ一致している。導光板２６は、シャーシ３１４内において液晶パネル３１１及び光学部材３１５の直下位置に配されており、シャーシ３１４における長辺側の両端部に配された一対のＬＥＤ基板３１８間にＹ軸方向について挟み込まれる形で配されている。従って、ＬＥＤ３１７（ＬＥＤ基板３１８）と導光板２６との並び方向がＹ軸方向と一致するのに対して、光学部材３１５（液晶パネル３１１）と導光板２６との並び方向がＺ軸方向と一致しており、両並び方向が互いに直交するものとされる。そして、導光板２６は、ＬＥＤ３１７からＹ軸方向に向けて発せられた光を導入するとともに、その光を内部で伝播させつつ光学部材３１５側（Ｚ軸方向）へ向くよう立ち上げて出射させる機能を有する。
【００７２】
導光板２６の板面のうち、表側を向いた板面が、図２８に示すように、内部の光を光学部材３１５及び液晶パネル３１１に向けて出射させる光出射面２６ａとなっている。導光板２６における板面に対して隣り合う外周端面のうち、Ｘ軸方向に沿って長手状をなす長辺側の両端面は、それぞれＬＥＤ３１７（ＬＥＤ基板３１８）と所定の間隔を空けて対向状をなしており、これらがＬＥＤ３１７から発せられた光が入射される光入射面２６ｂとなっている。光入射面２６ｂは、Ｘ軸方向及びＺ軸方向に沿って並行する面とされ、光出射面２６ａに対して略直交する面とされる。導光板２６における光出射面２６ａとは反対側の板面２６ｃには、導光板２６内の光を反射して表側へ立ち上げることが可能な第２反射シート２８がその全域を覆う形で設けられている。第２反射シート２８は、平面に視てＬＥＤ基板３１８（ＬＥＤ３１７）と重畳する範囲にまで拡張されるとともに、表側の第１反射シート２７との間でＬＥＤ基板３１８（ＬＥＤ３１７）を挟み込む形で配されている。これにより、ＬＥＤ３１７からの光を両反射シート２７，２８間で繰り返し反射することで、光入射面２６ｂに対して効率的に入射させることができる。なお、導光板２６における光出射面２６ａまたはその反対側の板面２６ｃの少なくともいずれか一方には、内部の光を反射させる反射部（図示せず）または内部の光を散乱させる散乱部（図示せず）が所定の面内分布を持つようパターニングされており、それにより光出射面２６ａからの出射光が面内において均一な分布となるよう制御されている。
【００７３】
光学部材３１５は、図１４に示すように、拡散板３１５ａ及び光学シート３１５ｂが上記した実施形態１と同様の積層順でもって積層されるとともに、その外周縁部がフレーム３１６の枠状部３１６ａによって裏側から支持されている。光学シート３１５ｂを構成する波長変換シート３２０は、導光板２６の光出射面２６ａと対向状をなす形で配置されており、光出射面２６ａから出射したＬＥＤ３１７の青色の光（一次光）を、緑色蛍光体及び赤色蛍光体によって緑色の光及び赤色の光（二次光）に波長変換するものとされる。そして、波長変換シート３２０を透過した光に外周側部分と中央側部分とで色味に差が生じていた場合でも、その透過光には表側に配された拡散板３１５ａによって拡散作用が付与されるようになっているので、色ムラの発生を好適に抑制することができる。
【００７４】
以上説明したように本実施形態によれば、ＬＥＤ３１７からの光を導光する導光板２６を備えており、波長変換シート３２０は、導光板２６における光出射面２６ａと対向状をなす形で配されている。このようにすれば、ＬＥＤ３１７から発せられた光は、導光板２６に入射して導光板２６内を伝播された後に、導光板２６の光出射面２６ａから出射される。光出射面２６ａから出射された光は、波長変換シート３２０の蛍光体にて波長変換されるなどしてから拡散板３１５ａにより拡散作用が付与された後に出射される。導光板２６により光を導光することで、波長変換シート３２０に供給される光に輝度ムラが生じ難くなるので、導光板２６と波長変換シート３２０との間の距離を小さなものとすることができ、もって薄型化などを図る上で好適となる。
【００７５】
＜実施形態５＞
本発明の実施形態５を図１５によって説明する。この実施形態５では、上記した実施形態１から波長変換シート４２０の構成を変更したものを示す。なお、上記した実施形態１と同様の構造、作用及び効果について重複する説明は省略する。
【００７６】
本実施形態に係る波長変換シート４２０には、図１５に示すように、その外周縁部を封止する封止部２９が設けられている。封止部２９は、蛍光体層４２０ａ及び一対の保護層４２０ｂにおける外周縁部を全周にわたって一括して挟み込む形で設けられており、それにより蛍光体層４２０ａの外周端が外部に露出して外気に曝されるのが防がれるものとされる。このような構成によれば、蛍光体層４２０ａが外気に含まれる水分などによって性能劣化する事態が生じ難いものとされる。
【００７７】
＜他の実施形態＞
本発明は上記記述及び図面によって説明した実施形態に限定されるものではなく、例えば次のような実施形態も本発明の技術的範囲に含まれる。
（１）上記した各実施形態では、３枚の光学シートを備える構成を例示したが、光学シートの枚数は２枚以下または４枚以上に変更することも可能である。また、波長変換シートを除いて使用する光学シートの種類についても適宜に変更可能であり、例えば拡散シートやマイクロレンズシートなどを用いることも可能である。また、波長変換シートを除いた他の光学シートの具体的な積層順についても適宜に変更可能である。
【００７８】
（２）上記した各実施形態では、拡散板の表側に２枚の光学シート（プリズムシート及び反射型偏光シート）が積層される構成を例示したが、拡散板の表側に１枚の光学シートを積層したり、３枚以上の光学シートを積層したりすることも可能である。
【００７９】
（３）上記した各実施形態では、拡散板と波長変換シートとの間に接着層が介在する構成や、拡散板と波長変換シートとが直接重なる構成を例示したが、拡散板と波長変換シートとの間に他の光学シート（プリズムシート、反射型偏光シートなど）が１枚または複数枚介在する構成を採ることも可能である。また、波長変換シートの裏側に他の光学シート（プリズムシート、反射型偏光シートなど）を１枚または複数枚重ねて配置することも可能である。
【００８０】
（４）上記した各実施形態（実施形態４を除く）では、拡散板と波長変換シートとの間に介在する接着層としてＯＣＡなどの透明光学粘着フィルムを用いた場合を例示したが、例えば、ほぼ透明な接着剤、ほぼ透明な光硬化性樹脂（紫外線硬化性樹脂などを含む）、ほぼ透明な両面テープなどを接着層として用いることも可能である。
【００８１】
（５）上記した各実施形態（実施形態４を除く）では、拡散板と波長変換シートとの間に接着層を介在させた場合を例示したが、例えば拡散板に対して波長変換シートを熱溶着または超音波溶着などさせることで、接着層を用いることなく波長変換シートを拡散板に対して貼り付けるようにしても構わない。また、拡散板に対して波長変換シートを貼り付けない構成を採ることも可能である。
【００８２】
（６）上記した各実施形態では、拡散板と波長変換シートとが平面に視てほぼ同じ大きさとされる場合を例示したが、拡散板と波長変換シートとの平面に視た大きさが異なる構成であってもよい。その場合、拡散板と波長変換シートとのどちらが大きくても構わないが、拡散板の方が波長変換シートよりも大きくなる構成を採るのがより好ましいものとされる。
【００８３】
（７）上記した実施形態２では、分割波長変換シートの枚数を４枚にした場合を例示したが、分割波長変換シートの枚数を、２枚、３枚、５枚以上などに変更することも可能である。また、拡散板の板面内における複数の分割波長変換シートの具体的な配置についても適宜に変更することが可能である。さらには、複数の分割波長変換シートの具体的な平面形状についても適宜に変更することが可能である。
【００８４】
（８）上記した実施形態３の変形例として、第２の拡散板に代えて光の拡散機能を殆ど有さない、ほぼ透明な透明板材を用いることも可能である。要は、波長変換シートを裏側から支持してその平坦性を担保できるのであれば、拡散機能の有無は問わない。また、拡散機能以外の光学機能を持つ光学板材により第２の拡散板を代用することも可能である。
【００８５】
（９）上記した実施形態３では、拡散板及び第２の拡散板と波長変換シートとが接着層を介することなく直接重なる構成を示したが、拡散板及び第２の拡散板と波長変換シートとの間にそれぞれ接着層を介在する形で設けることも可能である。また、拡散板と波長変換シートとの間と、第２の拡散板と波長変換シートとの間と、のいずれか一方のみに接着層を介在する形で設けることも可能である。
【００８６】
（１０）上記した実施形態４の変形例として、波長変換シートを導光板の光出射面に直接載る形で配置することも可能である。その場合、波長変換シートと拡散板との間に一定の間隔を空ける設定とすることもできるが、波長変換シートに直接、または接着層を介して拡散板を重ねるようにしても構わない。
【００８７】
（１１）上記した実施形態２に記載した構成を、実施形態３〜５に記載した構成に組み合わせることも可能である。
【００８８】
（１２）上記した実施形態３に記載した構成を、実施形態４，５に記載した構成に組み合わせることも可能である。
【００８９】
（１３）上記した実施形態４に記載した構成を、実施形態５に記載した構成に組み合わせることも可能である。
【００９０】
（１４）上記した各実施形態（実施形態４を除く）では、反射シートが底側反射部に対して傾斜状に立ち上がる立ち上がり反射部を有する構成のものを示したが、立ち上がり反射部の具体的な構成（例えば、短辺側の立ち上がり反射部及び長辺側の立ち上がり反射部における傾斜角度の設定、短辺側の立ち上がり反射部及び長辺側の立ち上がり反射部における平面に視た幅寸法の設定など）は適宜に変更可能である。
【００９１】
（１５）上記した各実施形態では、光源として青色の単色光を発するＬＥＤを用いた場合を示したが、光源として青色以外の色の光を発するＬＥＤを用いることも可能であり、その場合は波長変換シートに含有させる蛍光体が呈する色もＬＥＤの光の色に応じて変更すればよい。例えば、マゼンタ色の光を発するＬＥＤを用いる場合には、波長変換シートに含有させる蛍光体としてマゼンダ色の補色となる緑色を呈する緑色蛍光体を用いるようにすれば、バックライト装置の照明光（出射光）を白色化することができる。
【００９２】
（１６）上記した（１５）以外にも、紫色の光を発するＬＥＤを用いる場合には、波長変換シートに含有させる蛍光体として紫色の補色となる黄緑色を呈するよう緑色蛍光体及び黄色蛍光体を用いるようにすれば、バックライト装置の照明光（出射光）を白色化することができる。
【００９３】
（１７）上記した（１５），（１６）以外にも、シアン色の光を発するＬＥＤを用いる場合には、波長変換シートに含有させる蛍光体としてシアン色の補色となる赤色を呈する赤色蛍光体を用いるようにすれば、バックライト装置の照明光（出射光）を白色化することができる。
【００９４】
（１８）上記した各実施形態では、波長変換シートが緑色蛍光体及び赤色蛍光体を含む構成とされる場合を示したが、波長変換シートに黄色蛍光体のみを含ませた構成としたり、黄色蛍光体に加えて赤色蛍光体や緑色蛍光体を含ませた構成としたりすることも可能である。
【００９５】
（１９）上記した各実施形態では、波長変換シートに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【００９６】
（２０）上記した各実施形態では、波長変換シートに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。
【００９７】
（２１）上記した各実施形態では、波長変換シートに量子ドット蛍光体を含有させた構成のものを例示したが、他の種類の蛍光体を波長変換シートに含有させるようにしても構わない。例えば、波長変換シートに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【００９８】
（２２）上記した（２１）以外にも、波長変換シートに含有させる緑用蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換シートに含有させる赤色用蛍光体を、(Ｃａ，Ｓｒ，Ｂａ) 2ＳｉＯ5Ｎ8：Ｅｕ2+、ＣａＡｌＳｉＮ3：Ｅｕ2+などとすることができる。さらには、波長変換シートに含有させる黄色用蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。それ以外にも、波長変換シートに含有させる蛍光体として、複フッ化物蛍光体（マンガン付活のケイフッ化カリウム（Ｋ2ＴｉＦ6）など）を用いることも可能である。
【００９９】
（２３）上記した（２１），（２２）以外にも、波長変換シートに含有させる蛍光体として有機蛍光体を用いることができる。有機蛍光体としては、例えばトリアゾールまたはオキサジアゾールを基本骨格とした低分子の有機蛍光体を用いることができる。
【０１００】
（２４）上記した（２１），（２２），（２３）以外にも、波長変換シートに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１０１】
（２５）上記した各実施形態以外にも、ＬＥＤの発光スペクトル（ピーク波長の数値、ピークの半値幅の数値など）及び蛍光体層に含まれる蛍光体の発光スペクトル（ピーク波長の数値、ピークの半値幅の数値など）に関しては、適宜に変更することが可能である。
【０１０２】
（２６）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１０３】
（２７）上記した各実施形態では、シャーシが金属製とされた場合を例示したが、シャーシを合成樹脂製とすることも可能である。
【０１０４】
（２８）上記した各実施形態（実施形態４を除く）では、光学部材がフレームによって表側から押さえられてシャーシの受け板部との間で挟持される構成を例示したが、例えば光学部材をフレームによって裏側から支持するようにし、光学部材を表側から押さえ付けない構成を採ることも可能である。
【０１０５】
（２９）上記した各実施形態では、光源としてＬＥＤを用いたものを示したが、有機ＥＬなどの他の光源を用いることも可能である。
【０１０６】
（３０）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１０７】
（３１）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０８】
（３２）上記した各実施形態では、透過型の液晶表示装置を例示したが、それ以外にも反射型の液晶表示装置や半透過型の液晶表示装置にも本発明は適用可能である。
【０１０９】
（３３）上記した各実施形態では、表示パネルとして液晶パネルを用いた液晶表示装置を例示したが、他の種類の表示パネルを用いた表示装置にも本発明は適用可能である。
【０１１０】
（３４）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１１１】
１０，１１０，３１０...液晶表示装置（表示装置）、１１，１１１，３１１...液晶パネル（表示パネル）、１２，１１２，２１２，３１２...バックライト装置（照明装置）、１５ａ，１１５ａ，２１５ａ，３１５ａ...拡散板、１５ｂ，３１５ｂ...光学シート、１７，３１７...ＬＥＤ（光源）、１７ａ...発光面、２０，１２０，２２０，３２０，４２０...波長変換シート（波長変換部材）、２１...プリズムシート（光学シート）、２２...反射型偏光シート（光学シート）、２３...接着層、２４...分割波長変換シート（分割波長変換部材）、２５...第２の拡散板、２６...導光板、２６ａ...光出射面
【図１】
0006554534.tif 000002
【図２】
0006554534.tif 000003
【図３】
0006554534.tif 000004
【図４】
0006554534.tif 000005
【図５】
0006554534.tif 000006
【図６】
0006554534.tif 000007
【図７】
0006554534.tif 000008
【図８】
0006554534.tif 000009
【図９】
0006554534.tif 000010
【図１０】
0006554534.tif 000011
【図１１】
0006554534.tif 000012
【図１２】
0006554534.tif 000013
【図１３】
0006554534.tif 000014
【図１４】
0006554534.tif 000015
【図１５】
0006554534.tif 000016